(57)【要約】【課題】  不適正な操作を排除できる写真プリント装置を構成する。【解決手段】  受付端末Ａで取得した画像データをプリント部Ｂに伝送することにより、プリント部Ｂに備えた処理ユニット２５がプリント処理を実現するプリントシステムを構成する。このプリントシステムは、受付端末Ａに入力端末として備えたキーボード１２とマウス１３とからプリント部Ｂの処理ユニット２５に対して認証情報を入力することによりログオンして必要な処理を行えるものであり、ログオンしない状態においてもプリント処理を実行できるように構成している。【選択図】        図１
2006344141.tif 000002
【特許請求の範囲】
【請求項１】
取得した画像データをプリント部においてプリント媒体にプリントする処理ユニットを備えているプリントシステムであって、
前記処理ユニットが、起動の後にオペレータが認証情報を入力することによりログオンして入力端末からの操作を許すように処理形態が設定されると共に、
前記処理ユニットは、前記ログオンしない状態において前記プリント部を管理するプリント管理手段を備えているプリントシステム。
【請求項２】
前記処理ユニットは、起動時に前記プリント管理手段としての管理プログラムを含む複数のプログラムをロードすることにより、前記ログオン以前、及び、前記入力端末からの操作が禁止されるログオフ時に予め設定された処理を実行できるように処理形態が設定され、前記管理プログラムは、プリント部でのプリント処理の実行に支障があることを判別した場合には、前記プリント処理に支障があることを報知する報知処理を行う請求項１記載のプリントシステム。
【請求項３】
前記プリント部が前記処理ユニットがログオフ状態でもプリントデータとオーダデータに基づいてプリント処理を実現するプリント実行手段を備えている請求項１又は２記載のプリントシステム。
【請求項４】
記憶媒体から画像データを取得する媒体ドライブと、処理情報を表示するディスプレイと、オペレータの操作情報を取得する情報入力手段と、これらを制御する端末ユニットとを備えて受付端末を構成し、この受付端末の端末ユニットと前記処理ユニットとが通信手段を介して接続されると共に、
前記処理ユニットからの情報を前記ディスプレイに表示し、かつ、前記受付端末に備えた前記入力端末からの情報を前記処理ユニットに伝送する共有制御手段を備えている請求項１〜３のいずれか１項に記載のプリントシステム。
【請求項５】
前記端末ユニットは、前記ディスプレイに案内画面を表示し、この案内画面の表示に従って前記情報入力手段を操作することにより、前記媒体ドライブを介して記憶媒体から画像データを取得し、かつ、プリント処理に必要なオーダデータを取得する受付処理手段を備えると共に、
この端末ユニットは、前記受付処理手段の処理に基づく情報を前記ディスプレイに表示する受付モードと、前記処理ユニットの処理に基づく情報を前記ディスプレイに表示するプリント管理モードとの切り換えを行うモード切換手段を備えている請求項４記載のプリントシステム。
【発明の詳細な説明】
【技術分野】
【０００１】
本発明は、取得した画像データをプリント部においてプリント媒体にプリントする処理ユニットを備えているプリントシステムに関し、詳しくは、不適正な操作を排除しながらプリント部におけるプリント処理を管理する技術に関する。
【背景技術】
【０００２】
上記のように構成されたプリントシステムと類似する技術としては特許文献１に記載されるものが存在する。つまり、印刷装置のプリンタドライバソフトウエアにおいて、印刷を行うアプリケーション上からメニューを選択することによってプリンタドライバ設定画面が表示され、この設定画面において各設定項目がロック状態であるか、アンロック状態であるかを判別できる。また、ロック状態とアンロック状態との設定は管理者が行うものであり、ロック状態にある項目の内容を変更する場合には、適正なパスワードを入力した後に設定の変更が許される。
【０００３】
【特許文献１】特開２００４‐１９２２１９号公報  （請求項１、段落番号〔００２０〕〜〔００２６〕、図２）
【発明の開示】
【発明が解決しようとする課題】
【０００４】
ＤＰ店に設置されるデジタル型の写真プリント装置を例に挙げると、写真フィルムの各コマから取得した画像データ又はフラッシュメモリ等のメディアから取得した画像データを印画紙にプリントする際には、プリントに先立って、プリント対象とする画像データを設定し、プリントサイズやプリント枚数等のオーダデータを設定するために、例えば、プレジャッジが行われる。このプレジャッジを行う際にパスワードの入力を求めてオペレータの認証を行うことも考えられる。
【０００５】
しかしながら、プリント処理を実現する従来からのソフトウエアは、パスワードの入力を求めてオペレータの認証を行ってログオンした後に実行されるものであり、このプリント処理の実行時にプリント処理における各種の情報を取得できるものである。従って、処理ユニットにおいてプレジャッジを行って、プリント対象とする画像データの設定とオーダデータの設定とを行った後には、ログオン状態を維持したまま処理ユニットにおいてプリント処理のためのプログラムを継続的に実行し続ける必要がある。しかしながら、プリント処理を継続している間においてもログオン状態を維持するものでは、処理ユニット側での誤操作によって誤った情報がセットされることもあり改善の余地がある。
【０００６】
この種の誤操作は、ＤＰ店において複数のオペレータが同じ処理ユニットを操作できる状況において多く発生するものであり、特に、操作に未熟なオペレータが操作する場合に発生しやすいものである。
【０００７】
本発明の目的は、不適正な操作を排除できる写真プリント装置を合理的に構成する点にある。
【課題を解決するための手段】
【０００８】
本発明の特徴は、取得した画像データをプリント部においてプリント媒体にプリントする処理ユニットを備えているプリントシステムにおいて、
前記処理ユニットが、起動の後にオペレータが認証情報を入力することによりログオンして入力端末からの操作を許すように処理形態が設定されると共に、
前記処理ユニットは、前記ログオンしない状態において前記プリント部を管理するプリント管理手段を備えている点にある。
【０００９】
この構成により、ログオン以前やログオフした状態において前記プリント管理手段によってプリント部を管理できる。つまり、オペレータが適正なパスワードを入力してログオンする以前であっても、プリント部においてプリント媒体を補給する必要がある状況や、プリント媒体が搬送系に詰まりプリント不能にある状況等をプリント処理を行う以前に把握することができ、しかも、ログオフ時においてもプリント部の管理が可能であるので、例えば、プリント部においてプリントを継続している場合や、プリント部でのプリント処理が終了した状況においてもプリント部の管理を行える。その結果、操作に未熟なオペレータによる誤った操作を排除して適正なプリント処理を行える写真プリント装置が構成された。
【００１０】
本発明は、前記処理ユニットは、起動時に前記プリント管理手段としての管理プログラムを含む複数のプログラムをロードすることにより、前記ログオン以前、及び、前記入力端末からの操作が禁止されるログオフ時に予め設定された処理を実行できるように処理形態が設定され、前記管理プログラムは、プリント部でのプリント処理の実行に支障があることを判別した場合には、前記プリント処理に支障があることを報知する報知処理を行っても良い。
【００１１】
この構成により、処理ユニットがログオン以前、及び、ログオフ時にある状況でもプリント部においてプリント処理にプリント媒体の搬送不良等の支障が発生した場合には、処理ユニットが報知処理を行うことにより、オペレータが搬送不良を解消する等の作業を即座に行える。
【００１２】
本発明は、前記プリント部が前記処理ユニットがログオフ状態でもプリントデータとオーダデータに基づいてプリント処理を実現するプリント実行手段を備えても良い。
【００１３】
この構成により、処理ユニットがログオフ状態にある場合でもプリント部においてプリント処理を行え、このプリント処理を継続しながら管理プログラムがプリント部の管理を行うものとなる。
【００１４】
本発明は、記憶媒体から画像データを取得する媒体ドライブと、処理情報を表示するディスプレイと、オペレータの操作情報を取得する情報入力手段と、これらを制御する端末ユニットとを備えて受付端末を構成し、この受付端末の端末ユニットと前記処理ユニットとが通信手段を介して接続されると共に、
前記処理ユニットからの情報を前記ディスプレイに表示し、かつ、前記受付端末に備えた前記入力端末からの情報を前記処理ユニットに伝送する共有制御手段を備えても良い。
【００１５】
この構成により、受付端末において画像データの受付を行えると共に、この受付端末のディスプレイに対して処理ユニットからの情報を表示し、受付端末の入力端末からの情報を通信手段で処理ユニットに伝送することにより受付端末から処理ユニットに対して必要とする情報をセットすることが可能となる。また、この受付端末はオペレータばかりでなく顧客が直接操作する状況も想定できるが、ログオフ状態にしておけば、この受付端末において操作に未熟なオペレータや顧客が誤った操作を行うことが回避され、処理ユニットの情報が誤って変更されることもない。
【００１６】
本発明は、前記端末ユニットは、前記ディスプレイに案内画面を表示し、この案内画面の表示に従って前記情報入力手段を操作することにより、前記媒体ドライブを介して記憶媒体から画像データを取得し、かつ、プリント処理に必要なオーダデータを取得する受付処理手段を備えると共に、
この端末ユニットは、前記受付処理手段の処理に基づく情報を前記ディスプレイに表示する受付モードと、前記処理ユニットの処理に基づく情報を前記ディスプレイに表示するプリント管理モードとの切り換えを行うモード切換手段を備えても良い。
【００１７】
この構成により、受付端末の端末ユニットにおいてモード切換手段が受付モードからプリント管理モードに切り換えを行え、ディスプレイに受付モードの情報とプリント管理モードの情報とを同時に表示する不都合を回避できる。そして、プリント管理モードにおいてプリント部の管理を行える。
【発明を実施するための最良の形態】
【００１８】
以下、本発明の実施形態を図面に基づいて説明する。
【００１９】
〔全体構成〕  図１に示すように、画像データの取得、及び、オーダデータの取得を行い、必要な補正処理を行う受付端末Ａと、この受付端末Ａから通信ケーブル１を介して伝送される画像データをプリント媒体としてのプリントペーパＰにプリントするプリント部Ｂとを備えてインクジェット型のプリントシステムが構成されている。
【００２０】
このプリントシステムはＤＰ店やコンビニエンスストアに設置されるものであり、受付端末Ａを店頭等、顧客が直接操作できる位置に配置し、プリント部Ｂをカウンタの内部等オペレータによる管理が容易な位置に配置する。このプリントシステムでは顧客だけが受付端末Ａを操作するものではなく、操作に不慣れな顧客に代わってオペレータが操作し、また、メンテナンス時にはオペレータが操作する。
【００２１】
〔受付端末〕  前記受付端末Ａは、ワゴン型のフレーム３の上部の受付部４と、フレーム３の上下方向の中間位置のフラットベッドスキャナＦＳとを備えている。前記受付部４の前面にはフラッシュメモリで成る記憶媒体Ｍｓに保存された画像データを読み出す半導体ドライブ５（媒体ドライブの一例）と、ＣＤ−ＲやＤＶＤ等のディスク型の記憶媒体Ｍｄに保存された画像データを読み出すディスクドライブ６（媒体ドライブの一例）とを備えている。また、この受付部４の上部に処理情報を表示する液晶ディスプレイ７を配置し、この液晶ディスプレイ７の表示面に情報入力手段としてのタッチパネル８を形成し、また、受付部４の筐体内部にスピーカ９と端末ユニット１０を備えている。
【００２２】
この受付端末Ａでは、前記受付部４の下部位置にスライドテーブル１１を備えており、このスライドテーブル１０に情報入力手段として機能するキーボード１２とマウス１３とが載置されている。このスライドテーブル１１は受付時に受付部４の下部位置に収容され、メンテナンスのように必要とする場合にのみ引き出して使用される。
【００２３】
前記フラットベッドスキャナＦＳは、本体１５と、本体１５に対して開閉自在に支持したプラテンカバー１６とを備え、本体１５には透明ガラス製のスキャニングテーブル１７と、このスキャニングテーブル１７の下側に配置したスキャニングヘッド１８とを備えている。このスキャニングヘッド１８には主走査方向に多数のＣＣＤ等の光電変換素子と、光源とを備え、主走査方向と直交する副走査方向に作動することにより、スキャニングテーブル１７に載置されたスキャニング対象物の画像をＲ（赤）・Ｇ（緑）・Ｂ（青）の３原色の色分解した画像データとして取り込む。
【００２４】
〔プリント部〕前記プリント部Ｂは、図１及び図２に示すように筐体２１の下部に２つマガジン収容部Ｂａ、Ｂａを配置し、筐体２１の上部にはプリントペーパＰに画像データをプリントするプリント部Ｂｂを配置し、筐体２１の側部にインク貯留部Ｂｃを配置している。筐体２１の上面部には比較的小さいサイズのプリントペーパＰが横送りベルト２２を介して送り出される仕分け部２３と、大きいサイズのプリントペーパＰを受け止めるラック板２４とを備えている。また、前記筐体２１の内部には前記通信ケーブル１を介して前記端末ユニット１０から情報が伝達される処理ユニット２５を備えている。
【００２５】
このプリント部Ｂでプリント処理を行う場合には、前記マガジン収容部Ｂａ、Ｂａに収容された複数のペーパマガジン２７からプリントサイズに適合した幅のプリントペーパＰを供給搬送ユニット２８で上方に搬送して前記プリント部Ｂｂに送り込み、次に、前記プリント部Ｂｂに備えたインクジェット式のプリントヘッドＨを主走査方向に往復作動させることでプリントペーパＰに画像データのプリントを行う。この後、プリント後のプリントペーパＰをカッターユニット２９でプリントサイズに切断し、反転ユニット３０で表裏を反転させ、排出搬送ユニット３１から前記横送りベルト２２とラック板２４との何れかに送り出す。
【００２６】
図面には示していないが、供給搬送ユニット２８、カッターユニット２９、反転ユニット３０、排出搬送ユニット３１夫々はステッピングモータ等のアクチュエータを備えると共に、ペーパをガイドするガイド類を備えている。
【００２７】
前記インク貯留部Ｂｃには、交換自在に複数のインクカートリッジ３２を備え、このインクカートリッジ３２からサブタンク３３を介して前記プリントヘッドＨに供給するインク供給系を備えている。また、マガジン収容部ＢａにはペーパＰの残量が設定値以下に達したことを検出するペーパ残量センサＳａを備え、前記供給搬送ユニット２８から排出搬送ユニット３１に至る搬送系に複数の詰まりセンサＳｂを備え、前記サブタンク３３にインク残量の低下を判別するインク残量センサＳｃを備えている。
【００２８】
尚、前記複数のインクカートリッジ３２は、ブラック（Ｋ）、ライトブラック（ＬＫ）、シアン（Ｃ）、マゼンタ（Ｍ）、ライトシアン（ＬＣ）、ライトマゼンタ（ＬＭ）、イエロー（Ｙ）のインクに対応したものが備えられている。
【００２９】
〔制御系〕このプリントシステムの制御系の概要を図３のように示している。つまり、端末ユニット１０は、マイクロプロセッサー（ＣＰＵ）に対して前記半導体ドライブ５、ディスクドライブ６、液晶ディスプレイ７、タッチパネル８、キーボード１２、マウス１３、スピーカ９、フラットベッドスキャナＦＳ夫々に対する情報のアクセス系を形成している。この端末ユニット１０は、ハードディスクＨＤと通信インタフェース４０を備えると共に、ソフトウエア（プログラム）で成るオペレーティングシステム４１、受付処理手段４２、プリントデータ生成手段４３、モード切換手段４４、共有制御手段４５、報知手段４６を備えている。
【００３０】
前記受付処理手段４２、プリントデータ生成手段４３、モード切換手段４４、共有制御手段４５、報知手段４６夫々はソフトウエアで成り半導体メモリ（図示せず）に展開したものを想定しているが、ロジック等のハードウエアで構成することが可能であり、また、ハードウエアとの組み合わせによって構成しても良い。
【００３１】
また、処理ユニット２５は、マイクロプロセッサー（ＣＰＵ）に対して前記供給搬送ユニット２８、カッターユニット２９、反転ユニット３０、排出搬送ユニット３１夫々で成るペーパ搬送系、及び、前記プリントヘッドＨを制御するヘッド制御ユニット５０に対する情報のアクセス系を形成しており、また、前記ペーパ残量センサＳａ、詰まりセンサＳｂ、インク残量センサＳｃからの情報が入力する信号系を形成している。この処理ユニット２５は、ハードディスクＨＤと通信インタフェース５１を備えると共に、ソフトウエア（プログラム）で成るオペレーティングシステム５２、プリント管理手段５３、プリント実行手段５４を備えている。
【００３２】
尚、通信インタフェース４０、５１と通信ケーブル１と通信を実現するソフトウエア等によって通信手段が構成されている。
【００３３】
プリント管理手段５３、及び、プリント実行手段５４はソフトウエアで成り半導体メモリ（図示せず）に展開したものを想定しているが、ロジック等のハードウエアで構成することが可能であり、また、ハードウエアとの組み合わせによって構成しても良い。
【００３４】
本発明のプリントシステムでは、前記受付端末Ａとプリント部Ｂとを稼動した状態で、受付端末Ａで受け付けた画像データを通信インタフェース４０、５１と通信ケーブル１とで成る情報伝達系を介してプリント部Ｂに伝達することによりプリントが実行される。
【００３５】
具体的に説明すると、前記受付端末Ａを稼動した場合には、前記液晶ディスプレイ７に対してプリント受付画面（図示せず）が表示される。この受付画面は前記受付処理手段４２の処理によって表示され、この表示に従い、例えば、フラッシュメモリで成る記憶媒体Ｍｓを半導体ドライブ５にセットし、シーケンシャルに表示される画面に従ってタッチパネル８を操作することにより、記憶媒体Ｍｓに記憶されている画像データが画面にサムネイル形式で表示され、この画像データのうちプリント対象とするものを指定し、プリントサイズ、プリント枚数等（オーダデータ）を指定することが可能となり、このように指定した画像データとオーダデータとが受付処理手段４２によって取得され、前記ハードディスクＨＤに保存される。
【００３６】
次に、プリントデータ生成手段４３がプリントに適したプリントデータを生成し、オーダデータとともに処理ユニット２５に伝送する。処理ユニット２５では、伝送されたデータを前記ハードディスクＨＤに保存した後にプリント実行手段５４がペーパ搬送系、ヘッド制御ユニット５０を制御することによりプリントペーパＰに対して画像データをプリントする。また、このプリント実行手段５４でプリントを実行している際には、前記プリント管理手段５３が前記ペーパ残量センサＳａ、詰まりセンサＳｂ、インク残量センサＳｃからの情報を取得することにより、搬送系にペーパの詰まりが発生した場合等には、その情報を前記端末ユニット１０に伝送することにより前記報知手段４６が前記スピーカ９に警報音を発生させ、液晶ディスプレイ７に詰まり箇所を明らかにする情報を表示する。
【００３７】
図４のフローチャートには端末ユニット１０の稼動時の処理の概要を示している。つまり、端末ユニット１０の起動時（ＯＮ操作時）にはイニシャライズを行った後に液晶ディスプレイ７に受付画面（図示せず）を表示する（＃１０１、＃１０２ステップ）。
【００３８】
このように受付画面を表示した状態で顧客（オペレータも含む）が受付操作を行うことにより、顧客が行うべき操作を示す案内画面を液晶ディスプレイ７に表示し、この表示に従って、顧客がタッチパネル８を介してプリント対象とする画像データの指定と、プリントサイズと、プリント枚数との設定を行うことにより、プリント対象とする画像データを取得し、プリントサイズ、プリント枚数等のオーダデータを取得して受付端末ＡのハードディスクＨＤに一旦保存する（＃１０２〜＃１０５ステップ：受付処理手段４２による処理）。
【００３９】
尚、受付時に液晶ディスプレイ７に表示される画面は、特開２００３−７８８４７号公報に示されるものと基本的に変わるものではない。
【００４０】
次に、取得した画像データからプリントサイズに対応したプリントデータを生成し、オーダデータとともにプリント部Ｂに伝送する（＃１０５ステッ：プリントデータ生成手段４３による処理）。このプリントデータ生成手段４３による処理は受付端末Ａにおいて必ずしも行う必要はなく、プリント部Ｂの処理ユニット２５で行うように処理形態を設定しても良い。この場合、受付端末Ａからプリント部Ｂに対してＪＰＥＧ形式（Joint Photographic Experts Groupが制定した形式）で保存した画像データのように圧縮した画像データを伝送すると効率的である。
【００４１】
次に、詰まりセンサＳｂでペーパ詰まりを検出した場合のように、プリント部Ｂからエラー入力があった場合には、前記スピーカ９から警告音を発生させ、液晶ディスプレイ７に対して詰まりが発生したことを報知するメッセージを表示すると同時に詰まりが発生した部位を表示する（＃１０６、＃１０７ステップ：報知手段４６による処理）。
【００４２】
次に、受付画面が表示されている状態で液晶ディスプレイ７の特定の部位を操作することや、前記キーボード１２を引き出して特定のキーを操作することによりモードの切換が行われる（＃１０８ステップ：モード切換手段４４による処理）。
【００４３】
このモードとは前記受付処理手段４２が液晶ディスプレイ７に受付画面を表示してプリント処理の受け付けを行う受付モードと、前記処理ユニット２５の処理に基づく情報を液晶ディスプレイ７に表示するプリント管理モードとを指している。
【００４４】
そして、モードの切り換えが行われた場合には、共有制御作動を行い、この共有制御作動をモードの切り換えによって解除されるまで継続する（＃１０９〜＃１１１ステップ：共有制御手段４５による処理）。
【００４５】
尚、共有制御作動での処理を行う場合には、端末ユニット１０において入力端末として機能するキーボード１２、マウス１３から予め設定された情報を入力することにより受付モードを解除し、プリント管理モードを選択することにより可能となる。この共有制御での作動時には入力端末として機能するキーボード１２、マウス１３からの情報を通信ケーブル１を介して前記処理ユニット２５が取得し、この入力端末からの情報に基づいて該処理ユニット２５が処理を行い、更に、この処理の情報を通信ケーブル１を介して端末ユニット１０に伝送することにより、液晶ディスプレイ７に処理情報を表示する。
【００４６】
この後、プリント管理モードでの処理を解除して受付モードに復帰する場合には、前述と同様にキーボード１２やマウス１３等の入力端末から予め設定された情報を入力することになる。尚、タッチパネル８を入力端末として用いても良い。
【００４７】
このように説明した端末ユニット１０での処理は、電源がＯＦＦされることやリセットされるまで継続する（＃１１２ステップ）。
【００４８】
図５のフローチャートには処理ユニット２５の稼動時の処理の概要を示している。つまり、処理ユニット２５の起動時（ＯＮ操作時）にはイニシャライズを行った後に、プリント管理手段５３として機能するプリント管理プログラム、前記プリント実行手段５４として機能するプリント実行プログラム、及び、プリント処理に必要なデータ等をロードする（＃２０１、＃２０２ステップ）。
【００４９】
このロードが完了することにより、端末ユニット１０から画像データとオーダデータとが伝送された場合には、プリント実行プログラムがプリント処理を行い、プリント管理プログラムがプリント処理を管理する（＃２０３ステップ）。
【００５０】
このプリント実行プログラムは、画像データとオーダデータとに基づいてプリント処理を実現するものであり、プリント管理プログラムはプリント処理において、ペーパ残量センサＳａの情報からペーパ残量が低下したことを判別した場合、詰まりセンサＳｂの情報から搬送系での詰まりを判別した場合、インク残量センサＳｃの情報からインク残量が低下したことを判別した場合には、夫々の状況に対応した情報を端末ユニット１０に伝送する報知処理を行う。
【００５１】
この端末ユニット１０は、認証情報を入力してログオンすることにより、オペレータが必要とする任意の操作を行え、このログオン以前、及び、ログオフ以後において前記プリント実行プログラムがプリント処理を行い、前記プリント管理プログラムがプリント処理を管理を行える。
【００５２】
このようにログオンとログオフとの管理、ログオフ状態での一部の処理の実行は前記オペレーティングシステム５２が行うものである。一例を挙げると、Microsoft社のＯＳとしてWindowsＮＴの機能に類似している。尚、WindowsＮＴでは、サービスアプリケーションをセットしておくことにより、起動時にサービスアプリケーションを常駐させる形態で実行することが可能である。このような特徴を利用することにより、ログオフ状態において前記プリント実行プログラムがプリント処理を行い、前記プリント管理プログラムがプリント処理を管理している。
【００５３】
次に、前記端末ユニット１０において受付モードからプリント管理モードに切り換えられ、共有制御作動が求められた場合には、図６に示す認証画面６０を液晶ディスプレイ７に表示する。この認証画面６０にはユーザ名入力部６１と、パスワード入力部６２と、ＯＫボタン６３等が形成され、ユーザ名入力部６１とパスワード入力部６２に認証情報として適正な情報を入力することによりログオンを許し、入力端末からの情報を取得し、対応する処理を実行する（＃２０４〜＃２０８ステップ）。
【００５４】
ログオンの後に行われる処理として、プリントに必要なドライバ類の設定や変更、処理ユニット２５での起動時に読み込まれるデータ類の設定や変更、あるいは、アプリケーションのインストールや削除等が考えられる。
【００５５】
この後、キーボード１２やマウス１３から設定された情報が入力された場合には、図７に示すログオフ画面７０を表示し、ログオフを確認した後ＯＫボタン７１を操作することによりログオフし、共有制御出力が解除された場合には表示出力を停止する（＃２０９、２１０ステップ）。また、ログオフ時（ログオン以前を含む）にはキーボード１２やマウス１３からの操作は禁止され、処理ユニット２５のデータの変更や削除は行えない。
【００５６】
このように説明した処理ユニット２５での処理は、電源がＯＦＦされることやリセットされるまで継続する（＃２１１ステップ）。
【００５７】
本発明のプリントシステムでは、顧客や操作に不慣れなオペレータが操作することが多い受付端末Ａにおいて、例えば、誤った操作によってモードが切り換わり処理ユニット２５とアクセス可能になった場合でも、適正な認証情報が入力された後に処理ユニット２５におけるプログラムやデータ類の変更や削除が可能となるので、顧客や不慣れなオペレータがプログラムやデータ類の変更や削除を行う不都合を回避して適正な処理を継続できるものにしている。
【００５８】
〔別実施形態〕
本発明は、上記した実施の形態以外に以下のように構成しても良い。
【００５９】
（ａ）プリント実行手段５４とプリント管理手段５３としてマイクロプロセッサーを有したユニットを備え、このユニットに対して処理ユニット２５からプリントに必要なデータを伝送してプリント処理を行い、また、プリント処理時にエラーが発生した場合には、ユニットからエラーの情報を処理ユニット２５に伝えるように構成する。
【００６０】
（ｂ）プリント部Ｂにおいて処理ユニット２５に対して直接的に接続するキーボード等の入力端末を備える。
【００６１】
（ｃ）プリント部として感光材料に対する露光によって画像を形成するものを用いる。
【００６２】
（ｄ）画像データを取得する部位と画像データをプリントする部位とが一体化した構造のプリントシステムに適用する。
【産業上の利用可能性】
【００６３】
処理ユニットをインターネット等の通信回線に接続することにより、通信回線を介して取得した画像データをプリントするように構成することも可能である。このように構成した場合にも通信回線を介した不適正な操作を阻止できる。
【図面の簡単な説明】
【００６４】
【図１】プリントシステムの斜視図
【図２】プリント部のペーパ搬送系の概要を示す図
【図３】プリントシステムの制御系のブロック回路図
【図４】端末ユニットの制御形態を示すフローチャート
【図５】処理ユニットの制御形態を示すフローチャート
【図６】認証画面を示す図
【図７】ログオフ画面を示す図
【符号の説明】
【００６５】
５、６        媒体ドライブ
７            ディスプレイ
８            情報入力手段
１０          端末ユニット
１２、１３    入力端末
２５          処理ユニット
４４          モード切換手段
５３          プリント管理手段
５４          プリント実行手段
Ａ            受付端末
Ｂ            プリント部
Ｐ            プリント媒体
【図１】
2006344141.tif 000003
【図２】
2006344141.tif 000004
【図３】
2006344141.tif 000005
【図４】
2006344141.tif 000006
【図５】
2006344141.tif 000007
【図６】
2006344141.tif 000008
【図７】
2006344141.tif 000009